(57)【特許請求の範囲】
【請求項１】
扉に固定可能なケーシングに、床面に固定される少なくとも一部が磁性体又は磁石から構成されている戸当り体との間での磁力によって扉を設定開き位置に吸着保持することが可能な磁石又は磁性体を備えた昇降並びに回動可能な可動部材と、該可動部材を上昇した待機位置に移動付勢する付勢体とを組付けるとともに、前記可動部材には、当該可動部材の回動操作により扉閉じ位置への閉動時に前記戸当り体の側面に当接する戸当り状態と、前記戸当り体の側面に対して開閉方向の両側方から当接又は近接して扉を設定開き位置に係止保持するロック状態とに切り替えられる当り部が設けられている戸当り装置。
【請求項２】
前記当り部又は可動部材には、当り部を戸当り状態とロック状態とに切替操作する回動操作体が設けられている請求項１記載の戸当り装置。
【請求項３】
前記可動部材には、戸当り状態にある当り部が戸当り体の前方側の側面に当接したときの反動で扉が閉じ側に移動するとき、戸当り体との摺接によって摩擦抵抗を付与する摩擦抵抗付与体が設けられている請求項１又は請求項２記載の戸当り装置。
【請求項４】
前記付勢体を構成する引張コイルバネの主要部が筒状に構成された前記可動部材の中空部内に配置されているとともに、前記引張コイルバネの上端部が、ケーシングに架設された上側掛止軸に取付けられ、前記引張コイルバネの下端部が、前記可動部材の中空部内に架設された下側掛止軸に取付けられている請求項１〜３のいずれか１項に記載の戸当り装置。
【請求項５】
前記摩擦抵抗付与体が、戸当り状態にある当り部が戸当り体の前方側の側面に当接するとき、戸当り体の後方側の側面に当接又は近接し、且つ、扉の強制開動操作に連れて戸当り体の上面を摺接状態で通過可能な抵抗付与突起から構成されている請求項３記載の戸当り装置。
【発明の詳細な説明】
【技術分野】
【０００１】
本発明は、扉を設定開き位置に保持する戸当り装置に関する。
【背景技術】
【０００２】
従来の戸当り装置では、扉に固定可能なケーシングに、床面に固定される少なくとも一部が磁性体から構成されている戸当り体との間での磁力によって扉を設定開き位置に吸着保持することが可能な磁石を備えた昇降可能な円筒状の可動部材と、該可動部材を上昇した待機位置に移動付勢する圧縮コイルバネとが組付けられている。
【０００３】
また、前記扉の設定開き位置において圧縮コイルバネの付勢力に抗して磁力で下方に移動する可動部材の下端面が吸着される戸当り体の吸着面には、扉の設定開き位置への移動時に可動部材の下端部に当接してそれ以上の扉の移動を阻止する突出量の大きな主突起と、当該主突起との間で可動部材の下端部を設定開き位置に保持する突出量の小なる補助突起とが一体形成されている。
【０００４】
前記補助突起には、扉の設定開き位置への移動時に可動部材の下端部に当接して該可動部材を磁力に抗して上昇させる第１カム面と、設定開き位置にある扉の閉じ位置への移動時に可動部材の下端部に当接して該可動部材を磁力に抗して上昇させる第２カム面とが形成されている（特許文献１参照）。
【先行技術文献】
【特許文献】
【０００５】
【特許文献１】実用新案登録第３１１８１７６号公報
【特許文献２】特開２００１−２５４５６０号公報
【特許文献３】特開２００２−１４７０９３号号公報
【発明の概要】
【発明が解決しようとする課題】
【０００６】
従来の戸当り装置では、扉を設定開き位置に操作したとき、圧縮コイルバネの付勢力に抗して磁力で下方に移動する可動部材の下端部が、戸当り体の吸着面に形成されている補助突起の第１カム面との当接に連れて上昇しながら通過し、次に、前記可動部材の下端部が戸当り体の吸着面に形成されている主突起に当接した時点で、当該可動部材の下端部が主突起と補助突起との間の設定開き位置に保持される。
【０００７】
そのため、床面側に可動部材が設けられる特許文献２，３等に比較して、床面側の戸当り部材の表面積及び高さを小さくすることができ、床面の景観の阻害を抑制することができるとともに、扉閉じ時において、床面側戸当り部に他物が引っ掛かることを抑制することができる。
【０００８】
しかし、前記戸当り体の吸着面に形成されている補助突起には、設定開き位置にある扉の閉じ位置への移動時に可動部材の下端部に当接して該可動部材を磁力に抗して上昇させる第２カム面が形成されているため、前記設定開き位置にある扉に閉じ側への外力が作用したとき、可動部材の下端部が補助突起を簡単に通過して閉動する不都合がある。
【０００９】
そのため、扉を設定開き位置に強固に保持するためには、扉と床等の固定部との間に扉を設定開き位置に係止保持するロック機構を別途設ける必要があり、構造が大掛かりで複雑になるとともに、取付けに多くの手間を要し、製造コストの高騰化を招来する問題がある。
【００１０】
本発明は、上述の実状に鑑みて為されたものであって、その主たる課題は、扉を設定開き位置に確実・強固に保持することができるものでありながら、構造の簡素化と取付け手数の削減とを図ることのできる戸当り装置を提供する点にある。
【課題を解決するための手段】
【００１１】
本発明による第１の特徴構成は、扉に固定可能なケーシングに、床面に固定される少なくとも一部が磁性体又は磁石から構成されている戸当り体との間での磁力によって扉を設定開き位置に吸着保持することが可能な磁石又は磁性体を備えた昇降並びに回動可能な可動部材と、該可動部材を上昇した待機位置に移動付勢する付勢体とを組付けるとともに、前記可動部材には、当該可動部材の回動操作により扉閉じ位置への閉動時に前記戸当り体の側面に当接する戸当り状態と、前記戸当り体の側面に対して開閉方向の両側方から当接又は近接して扉を設定開き位置に係止保持するロック状態とに切り替えられる当り部が設けられている点にある。
【００１２】
上記構成によれば、扉を設定開き位置に操作したとき、扉に固定されたケーシング側の可動部材に設けられた磁石又は磁性体が床面側の戸当り体に近接するに連れて磁力による吸着力で可動部材が下降し、当該可動部材に設けられている戸当り状態の当り部が、戸当り体の側面に当接したとき、前記可動部材の磁石又は磁性体が戸当り体の上面における設定吸着位置に吸着される。
【００１３】
また、扉を設定開き位置に強固に保持する必要が生じた場合には、前記可動部材を回動操作して戸当り状態にある当り部をロック状態に切り替えることにより、戸当り体の前後の側面に対して当り部が開閉方向の両側方から当接又は近接して扉を設定開き位置に係止保持することができる。
【００１４】
また、前記可動部材を回動操作してロック状態にある当り部を戸当り状態に切り替えることにより、この戸当り状態では、可動部材の当り部が戸当り体の前方側の側面に対して扉閉じ位置側から当接又は近接しているだけなので、扉を扉閉じ位置側に自由に閉動操作することができる。
【００１５】
したがって、前記ケーシングに対して磁石又は磁性体を備えた可動部材を昇降並びに回動可能とし、且つ、この可動部材に戸当り状態とロック状態とに切り替え可能な当り部を設けるだけであるから、扉を設定開き位置に確実・強固に保持することができるものでありながら、構造の簡素化と取付け手数の削減及び製造コストの低廉化とを図ることができる。
【００１６】
本発明による第２の特徴構成は、前記当り部又は可動部材に、当り部を戸当り状態とロック状態とに切替操作する回動操作体が設けられている点にある。
【００１７】
上記構成によれば、前記当り部又は可動部材に設けた回動操作体によって当り部を戸当り状態とロック状態とに簡便に切替操作することができる。
【００１８】
本発明による第３の特徴構成は、前記可動部材に、戸当り状態にある当り部が戸当り体の前方側の側面に当接したときの反動で扉が閉じ側に移動するとき、戸当り体との摺接によって摩擦抵抗を付与する摩擦抵抗付与体が設けられている点にある。
【００１９】
上記構成によれば、前記扉を設定開き位置側に強く開き操作したとき、戸当り状態にある当り部が戸当り体の前方側の側面に当接（衝突）したときの反動で扉が閉じ側に移動しようとするが、このとき、前記摩擦抵抗付与体と戸当り体との摺接による摩擦抵抗を扉の閉じ移動に対する制動力として付与することができるので、扉を設定開き位置に確実に保持することができる。
【００２０】
本発明による第４の特徴構成は、前記付勢体を構成する引張コイルバネの主要部が筒状に構成された前記可動部材の中空部内に配置されているとともに、前記引張コイルバネの上端部が、ケーシングに架設された上側掛止軸に取付けられ、前記引張コイルバネの下端部が、前記可動部材の中空部内に架設された下側掛止軸に取付けられている点にある。
【００２１】
上記構成によれば、筒状に構成された前記可動部材の中空部を利用して引張コイルバネの主要部を収納することができるので、例えば、ケーシングの内周面と可動部材の外周面との間にコイルバネを設ける場合に比して戸当り装置のコンパクト化を図り易い。
【００２２】
本発明による第５の特徴構成は、前記摩擦抵抗付与体が、戸当り状態にある当り部が戸当り体の前方側の側面に当接するとき、戸当り体の後方側の側面に当接又は近接する状態で可動部材に設けられ、且つ、扉の強制開動操作に連れて戸当り体の上面を摺接状態で通過可能な抵抗付与突起から構成されている点にある。
【００２３】
上記構成によれば、前記扉を設定開き位置側に強く開き操作したとき、戸当り状態にある当り部が戸当り体の前方側の側面に当接（衝突）したときの反動で扉が閉じ側に移動しようとするが、このとき、前記可動部材には戸当り体の後方側の側面に当接又は近接する状態で摩擦抵抗付与体の抵抗付与突起が設けられているため、この抵抗付与突起と戸当り体との摺接による摩擦抵抗を扉の閉じ移動に対する制動力として付与することができるので、扉を設定開き位置に確実に保持することができる。
【００２４】
したがって、前記可動部材に抵抗付与突起を設けるだけであるから、摩擦抵抗付与体を構造面及びコスト面で有利に構成することができる。
【図面の簡単な説明】
【００２５】
【図１】本発明の第１実施形態の戸当り装置を示す扉の開き操作開始時と開き操作終了時の斜視図
【図２】第１実施形態の戸当り装置の分解斜視図
【図３】第１実施形態の戸当り装置の分解断面図
【図４】第１実施形態の戸当り装置の組付け時の断面図
【図５】図４のＶ−Ｖ線断面図
【図６】図４のＶＩ−ＶＩ線断面図
【図７】第１実施形態において扉が設定開き位置に近づいたときの水平断面図と縦断面図
【図８】第１実施形態において扉が設定開き位置に到達したときの水平断面図と縦断面図
【図９】第１実施形態において可動部材をロック状態に切替えたときの水平断面図と縦断面図
【図１０】本発明の第２実施形態の戸当り装置を示す扉の開き操作開始時と開き操作終了時の斜視図
【図１１】第２実施形態の戸当り装置の分解斜視図
【図１２】第２実施形態の戸当り装置の分解断面図
【図１３】第２実施形態の戸当り装置の組付け時の断面図
【図１４】図１３のＸＩＶ−ＸＩＶ線断面図
【図１５】図１３のＸＶ−ＸＶ線断面図
【図１６】第２実施形態において扉が設定開き位置に近づいたときの水平断面図と縦断面図
【図１７】第２実施形態において扉が設定開き位置に到達したときの水平断面図と縦断面図
【図１８】第２実施形態において可動部材をロック状態に切替えたときの水平断面図と縦断面図
【発明を実施するための形態】
【００２６】
〔第１実施形態〕
図１〜図９は、建築物の開口部にヒンジを介して縦軸芯周りで揺動開閉自在に取付けられる扉１の戸当り装置を示し、扉１に固定可能な合成樹脂（例えば、ＡＢＳ）製のケーシング２と、床面ＦＬに固定される少なくとも一部が磁性体である強磁性体３Ａから構成された戸当り体３とが備えられ、前記ケーシング２には、該ケーシング２の上下方向に貫通する装着空間Ｓを通して昇降並びに昇降軸芯周りで回動可能な合成樹脂（例えば、ＰＯＭ）製の可動部材５と、該可動部材５を上昇した待機位置に移動付勢する付勢体の一例である引張コイルバネ６とが組付けられている。
【００２７】
前記可動部材５の下端部には、図４に示すように、前記戸当り体３の強磁性体３Ａとの間での磁力によって扉１を設定開き位置に吸着保持可能な円柱状の永久磁石７が設けられ、前記可動部材５には、図７〜図９に示すように、当該可動部材５の回動操作により扉閉じ位置への閉動時に前記戸当り体３の側面に当接する戸当り状態と、前記戸当り体３の側面に対して開閉方向の両方向から当接又は近接して扉１を設定開き位置に係止保持するロック状態とに切り替えられる当り部８が設けられている。
【００２８】
前記可動部材５には、戸当り状態にある当り部８が戸当り体３の前方側の側面３ａに当接したときの反動で扉が閉じ側に移動するとき、戸当り体３との摺接によって摩擦抵抗を付与する摩擦抵抗付与体９が設けられている。
【００２９】
前記戸当り体３は、図３、図４に示すように、床面ＦＬへの取付け部である取付け孔３Ｃを貫通形成してある円環状の強磁性体（磁性体）３Ａと、該強磁性体３Ａに対して上方から嵌着される合成樹脂（例えば、ＰＶＣ）製のカバー３Ｂとから構成されているとともに、前記取付け孔３Ｃが皿ビス１１の頭部に沿ったテーパー面に形成され、さらに、前記強磁性体３Ａの外周面の底面側には、前記カバー３Ｂの内周面の下端に形成された径方向内方に突出する係合突起３ｂが脱着可能に弾性係合する環状係合凹部３ａが形成されている。
【００３０】
前記ケーシング２は、図２〜図６に示すように、前記可動部材５を昇降並びに昇降軸芯周りで回動自在に摺動案内する円筒状の内周面２ａを備えた円筒ケース部２Ａに、当該円筒ケース部２Ａの円弧状外面の一部とで半楕円状又は部分楕円状の外側面を構成する左右一対の化粧カバー部２Ｂと、当該両化粧カバー部２Ｂの先端面を通る取付け平面にまで円筒ケース部２Ａの両側脇から延出される一対の脚部２Ｃとを一体形成するとともに、前記両化粧カバー部２Ｂの上下二箇所には、図２に示すように、前記扉１の開き側となる表面にビス止めするための取付け孔２ｂを貫通形成してある取付け片２ｄを備えた取付け凹部２Ｄを形成して構成されている。
【００３１】
前記円筒ケース部２Ａの外周面の底部と両化粧カバー部２Ｂの先端面及び両脚部２Ｃの先端面と取付け片２ｄの底面とは、扉１の裏面（室内側の側面）に同時に当て付け可能な同一の取付け平面上に配置構成されている。
【００３２】
図３に示すように、前記取付け凹部２Ｄの取付け孔２ｂのうち、上側に位置する左右の取付け孔２ｂは真円に形成され、下側に位置する左右の取付け孔２ｂは、上下方向での取付け位置を調節可能な長孔に形成されている。
【００３３】
図２、図３、図５に示すように、前記円筒ケース部２Ａの内周面２ａの上半部を、円周方向に所定間隔を置いて設けられる複数のリブ２ｅから構成して、ケーシング２の軽量化と成形時の変形を抑制するとともに、前記リブ２ｅのうち、前記昇降軸芯を通る取付け平面に垂直な中心線の両側脇に位置する隣接リブ２ｅの上部には、前記引張コイルバネ６の上側係止部６ａを掛け止める上側掛止軸１２の両端部を上方から脱着可能に係止支持するための軸受け凹部２ｆが形成されている。
【００３４】
前記円筒ケース部２Ａの内周面２ａの下半部には、図３、図６に示すように、前記可動部材５の外周面に突出形成された後述の一対の突条５ｅが係合して可動部材５の回動範囲（回動角度）を９０度に規制する、換言すれば、前記当り部８を戸当り状態を現出する戸当り操作位置とロック状態を現出するロック操作位置とに切り替え可能な回動範囲に規制する回動規制溝２ｇが形成されている。
【００３５】
前記回動規制溝２ｇの戸当り操作位置にある可動部材５の両突条５ｅの一側面及び前記ロック操作位置にある可動部材５の両突条５ｅの他側面に係合して両突条５ｅの離脱移動を規制する突出代の小さな仮止め用の操作位置規制突起２ｈが、可動部材５の強制回動操作による両突条５ｅの通過移動を許容する状態で一体形成されている。
【００３６】
前記可動部材５には、図２〜図６に示すように、永久磁石７の全体及び引張コイルバネ６の主要部を収納可能な長さの円筒状の中空部Ｓ１が形成され、この可動部材５の内周面５ａの下端には、上方から挿入された永久磁石７の下端面を受止める鍔状受け部５ｂが一体形成されているとともに、前記可動部材５の内周面５ａにおける磁石装着領域の上端の周方向複数箇所には、前記鍔状受け部５ｂに受止められた永久磁石７の上方への抜け出し移動を阻止する突出代の小さな押え突起５ｃが、挿入された永久磁石７の強制押し込みによる通過移動を許容する状態で一体形成されている。
【００３７】
また、図２、図３に示すように、前記可動部材５のバネ装着領域の下端相当部位には、前記引張コイルバネ６の下側係止部６ｂを掛け止め可能な下側掛止軸１３の両端部を支持する軸受け孔５ｄが貫通形成されているとともに、前記可動部材５の外周面における両軸受け孔５ｄの形成箇所から下端までの部位には、軸受け孔５ｄの直径よりも少し大なる幅で径方向外方に向って突出する突条５ｅが一体形成されている。
【００３８】
前記可動部材５の下端部には、図２、図３に示すように、ケーシング２の円筒ケース部２Ａにおける内周面２ａの下端部に形成された環状溝２ｉに回動ならびに昇降自在に嵌合する上昇位置規制機能を備えた鍔部５ｆが一体形成されている。
【００３９】
前記当り部８は、図７〜図９に示すように、戸当り体３の外径よりも少し大径の弧状当り面８ａを備えた半円弧状に形成され、前記可動部材５の下端部の鍔部５ｆに一体形成されている。
【００４０】
前記当り部８には、図１〜図３に示すように、ケーシング２の円筒ケース部２Ａの下端部を迂回する状態で当該円筒ケース部２Ａの円弧状外面に沿って回動操作可能な状態で径方向外方に突出する回動操作体１４が一体形成され、この回動操作体１４の回動操作により前記当り部８を戸当り状態とロック状態とに切替操作するように構成されている。
【００４１】
前記回動操作体１４と当り部８との間には、ケーシング２の円筒ケース部２Ａの下端部が相対回動自在に入り込む凹部１５が形成されているとともに、前記回動操作体１４は、指先で摘み操作し易い先端側（半径方向外方側）ほど細くなる先細り形状に形成され、さらに、前記回動操作体１４には、軽量化及び成形時の引け防止のための下方に開口する中空部１４ａが形成されている。
【００４２】
図２〜図４に示すように、前記ケーシング２の円筒ケース部２Ａの上端部には、円筒ケース部２Ａの内周面２ａに嵌合する筒部１６ａと円筒ケース部２Ａの上端面に形成された円形状の凹部２ｊに嵌合する上蓋部１６ｂとからなる合成樹脂製（例えば、ＡＢＳ）のキャップ１６が脱着自在に装着されている。
【００４３】
前記キャップ１６の筒部１６ａには、前記円筒ケース部２Ａの軸受け凹部２ｆに係止支持された上側掛止軸１２の両端部に対して上方から外套して当該上側掛止軸１２の上方への抜け出し移動を阻止する半長円状の切欠き部１６ｃが形成されているとともに、前記上蓋部１６ｂには、可動部材５の昇降時における気体の流動を許容する通気孔１６ｄが形成されている。
【００４４】
前記摩擦抵抗付与体９は、図７、図８に示すように、戸当り状態にある当り部８が戸当り体３の前方側の側面に当接するとき、戸当り体３の後方側の側面に当接又は近接し、且つ、扉１の強制開動操作に連れて戸当り体３の上面を摺接状態で通過可能な突出代の小さな抵抗付与突起を、前記可動部材５の下端部の鍔部５ｆに一体形成して構成されている。
【００４５】
そして、前記扉１を設定開き位置側に強く開き操作したとき、戸当り状態にある当り部８が戸当り体３の前方側の側面に当接（衝突）したときの反動で扉１が閉じ側に移動しようとするが、このとき、前記可動部材５に一体形成された抵抗付与突起９と戸当り体３との当接又は摺接によって、可動部材５の永久磁石７と戸当り体３の強磁性体（磁性体）３Ａとの吸着力に抗して可動部材５を上昇させながら、抵抗付与突起９と戸当り体３との摺接による摩擦抵抗を扉１の閉じ移動に対する制動力として付与することができるので、扉１を設定開き位置に確実に保持することができる。
【００４６】
〔第２実施形態〕
上述の第１実施形態では、前記扉１の開き側となる表面に当接状態で戸当り装置のケーシング２を取付けたが、図１０〜図１８に示すように、前記扉１の板厚内に戸当り装置のケーシング２を埋設するように構成してもよい。
【００４７】
前記ケーシング２は、図１０〜図１４に示すように、前記可動部材５を昇降並びに昇降軸芯周りで回動自在に摺動案内する円筒状の内周面２ａを備え、且つ、前記扉１の下端に形成された取付け穴１Ａ内に挿入装着可能な円筒ケース部２Ａの下端に、扉１の下端面にビス止めするための取付け孔２ｋを備えた取付け板部２Ｅを一体形成して構成されている。
【００４８】
前記円筒ケース部２Ａの内周面２ａの上端部には、図１１〜図１５に示すように、前記引張コイルバネ６の上側係止部６ａを掛け止める上側掛止軸１２の両端部を上方から脱着可能に係止支持するための軸受け凹部２ｆが形成されているとともに、前記円筒ケース部２Ａの内周面２ａの下半部には、前記可動部材５の外周面に突出形成された一対の突条５ｅが係合して可動部材５の回動範囲（回動角度）を９０度に規制する、換言すれば、前記戸当り体３の側面に当接可能な当り部８を戸当り状態を現出する戸当り操作位置とロック状態を現出するロック操作位置とに切り替え可能な回動範囲に規制する回動規制溝２ｇが形成されている。
【００４９】
前記回動規制溝２ｇの戸当り操作位置にある可動部材５の両突条５ｅの一側面及び前記ロック操作位置にある可動部材５の両突条５ｅの他側面に係合して両突条５ｅの離脱移動を規制する突出代の小さな仮止め用の操作位置規制突起２ｈが、可動部材５の強制回動操作による両突条５ｅの通過移動を許容する状態で一体形成されている。
【００５０】
前記可動部材５は、前記当り部８と回転操作体１４の摘み部との間隔が扉１に埋設する分だけ長くなるだけで、それ以外の構成、機能は第１実施形態で説明した可動部材５と同じである。
【００５１】
前記キャップ１６は、図１１〜図１３に示すように、ケーシング２の円筒ケース部２Ａの上端部に外嵌するように構成されているため、第１実施形態で説明したキャップ１６の切欠き部１６ｃは存在しない。
尚、その他の構成は、第１実施形態で説明した構成と同一であるから、同一の構成箇所には、第１実施形態と同一の番号を付記してそれの説明は省略する。
【００５２】
〔その他の実施形態〕
（１）上述の第１実施形態では、前記戸当り体３に磁性体３Ａを設け、前記可動部材５側に磁石７を設けたが、前記戸当り体３に磁石７を設け、前記可動部材５側に磁性体３Ａを設けてもよい。
さらに、前記戸当り体３に磁石７を設け、前記可動部材５にも磁石７を設けてもよい。
【００５３】
（２）上述の第１実施形態では、前記戸当り体３を、床面ＦＬへの取付け部である取付け孔３Ｃを貫通形成してある強磁性体３Ａと、該強磁性体３Ａに対して上方から嵌着される合成樹脂製のカバー３Ｂとから構成したが、床面ＦＬへの取付け部を備えた強磁性体のみから構成してもよい。
【００５４】
（３）上述の第１実施形態では、前記可動部材５の回動範囲（回動角度）を９０度に規制することにより、前記当り部８を戸当り状態を現出する戸当り操作位置とロック状態を現出するロック操作位置とに切り替え可能したが、戸当り状態とロック状態とに切替えられるものであれば、可動部材５の回動範囲は任意の角度範囲に設定することができる。
【００５５】
（４）上述の第１実施形態では、前記当り部８を、戸当り体３の外径よりも少し大径の弧状当り面８ａを備えた半円弧状に形成したが、この当り部８を水平断面視においてコの字状又はＶ字状等に構成してもよい。
要するに、前記当り部８としては、可動部材５の回動操作により扉閉じ位置への閉動時に前記戸当り体３の側面に当接する戸当り状態と、前記戸当り体３の側面に対して開閉方向の両方向から当接又は近接して扉１を設定開き位置に係止保持するロック状態とに切り替えることのできるものであれば、如何なる形態に構成してもよい。
【００５６】
（５）上述の第１実施形態では、前記当り部８を戸当り状態とロック状態とに切替操作する回動操作体１４を当り部８に設けたが、この回動操作体１４を可動部材５に設けてもよい。
【００５７】
（６）上述の第１実施形態では、前記摩擦抵抗付与体９を、前記可動部材５の下端部の鍔部５ｆに一体形成した突出代の小さな樹脂製の抵抗付与突起から構成したが、ゴム等の弾性体や板バネ等から構成してもよい。
さらに、前記弾性体や板バネ等の摩擦抵抗付与体９を、前記可動部材５との摺接によって摩擦抵抗を付与する状態で戸当り体３側に設けてもよい。
【符号の説明】
【００５８】
ＦＬ      床面
Ｓ１      中空部
１        扉
２        ケーシング
３        戸当り体
３Ａ      磁性体（強磁性体）
５        可動部材
６        付勢体（引張コイルバネ）
７        磁石（永久磁石）
８        当り部
９        摩擦抵抗付与体（抵抗付与突起）
１２      上側掛止軸
１３      下側掛止軸
１４      回転操作体
【図１】
0005385868.tif 000002
【図２】
0005385868.tif 000003
【図３】
0005385868.tif 000004
【図４】
0005385868.tif 000005
【図５】
0005385868.tif 000006
【図６】
0005385868.tif 000007
【図７】
0005385868.tif 000008
【図８】
0005385868.tif 000009
【図９】
0005385868.tif 000010
【図１０】
0005385868.tif 000011
【図１１】
0005385868.tif 000012
【図１２】
0005385868.tif 000013
【図１３】
0005385868.tif 000014
【図１４】
0005385868.tif 000015
【図１５】
0005385868.tif 000016
【図１６】
0005385868.tif 000017
【図１７】
0005385868.tif 000018
【図１８】
0005385868.tif 000019